(57)【要約】【課題】ユーザに分かりやすく迅速に報知情報を切り替えて表示させる情報表示装置及びアナログ電子時計を提供する。【解決手段】半透過部材又は半透過反射部材で形成された第１回転板と、第１回転板の一部を露出させる表示窓が設けられた表示板と、第１回転板の下部に配置された第２回転板と、第１回転板及び第２回転板の回転制御手段と、第２回転板の表示窓に対応する部分を下側から照明する照明体と、照明体の点灯制御手段とを備え、第１回転板には、この第１回転板の材質と異なる材質の半透過部材又は半透過反射部材で形成された複数の情報を各々示す表示部が設けられ、第２回転板には、複数の情報に各々対応した光透過部が設けられ、点灯制御手段は、照明体を消灯させることで表示部の情報を表示窓から読み取り可能とし、照明体を点灯させることで光透過部に対応した情報を表示窓から読み取り可能とする。【選択図】図３
2014055873.tif 000002
【特許請求の範囲】
【請求項１】
半透過部材又は半透過反射部材で形成された第１回転板と、
この第１回転板の上側に配置され、前記第１回転板の一部分を露出させる表示窓が設けられた表示板と、
前記第１回転板の下部に、回転自在に配置された第２回転板と、
前記第１回転板及び前記第２回転板の回転動作を制御する回転制御手段と
前記第２回転板の前記表示窓に対応する部分をこの第２回転板の下側から照明する照明体と、
この照明体の点灯／消灯状態を制御する点灯制御手段と、
を備え、
前記第１回転板には、この第１回転板の材質とは異なる材質の半透過部材又は半透過反射部材で形成された複数の情報を各々示す表示部が設けられ、
前記第２回転板には、複数の情報に各々対応した光透過部が設けられ、
前記点灯制御手段は、前記照明体を消灯させることで前記表示部の一又は複数の所定数の情報を前記表示窓から選択的に読み取り可能とし、前記照明体を点灯させることで前記光透過部を透過した光が前記第１回転板を透過することによってこの光透過部に対応した情報を前記表示窓から選択的に読み取り可能とする
ことを特徴とする情報表示装置。
【請求項２】
前記第２回転板には、前記複数の情報に対応した前記光透過部が設けられていない無表示部が設けられ、
前記回転制御手段は、前記点灯制御手段が前記照明体を消灯させる場合には、前記無表示部を前記表示窓に対応した位置に移動させる
ことを特徴とする請求項１記載の情報表示装置。
【請求項３】
外光の照射量を検出する照度計測手段を備え、
前記無表示部には、光の反射の少ない低反射処理部と、この低反射処理部より光の反射率の高い高反射処理部とが設けられ、
前記回転制御手段は、前記照度計測手段により検出された前記照射量、及び、前記無表示部と前記表示部の示す情報とのコントラストに応じて前記低反射処理部と前記高反射処理部の何れかを選択的に前記表示窓に対応した位置に移動させる
ことを特徴とする請求項２記載の情報表示装置。
【請求項４】
前記第２回転板には、前記光透過部とは異なる透過率特性の半透過部材、又は、非透過部材で形成された背景部分に対し、情報表示部分が前記光透過部として設けられた明表示部と、前記半透過部材又は非透過部材で形成された情報表示部分に対し、背景部分が光透過部として設けられた暗表示部とがそれぞれ設けられ、
前記回転制御手段は、前記点灯制御手段により前記照明体が点灯されている場合に、前記明表示部と前記暗表示部とを交互に前記表示窓に対応した位置に移動させる
ことを特徴とする請求項１〜３の何れか一項に記載の情報表示装置。
【請求項５】
請求項１〜４の何れか一項に記載の情報表示装置と、
時刻を表示するための複数の指針と、
時刻を計数する計時回路と、
この計時回路の計数する現在時刻に基づいて前記複数の指針をこの現在時刻に対応する位置に移動させる指針動作制御手段と
を備えることを特徴とするアナログ電子時計。
【発明の詳細な説明】
【技術分野】
【０００１】
この発明は、情報表示装置、及び、アナログ電子時計に関する。
【背景技術】
【０００２】
従来、表示板上に設けられた標識及び目盛と、回動可能な指針とを組み合わせて種々の情報を表示させることのできる表示装置がある。これらの表示装置では、表示可能な情報に応じた複数の標識や目盛が予め表示板上に設けられ、指針が複数の情報の中から選択的に何れかに係る情報を指し示したり、各情報に対応する複数の指針が設けられたりする。
【０００３】
しかしながら、表示させる情報の種類が増えていくと、表示板上に設けられる標識や目盛の数も増えていく。その結果、デザイン上の制約が増えたり、更には、どの目盛が用いられているのかユーザが判別し難くなったりするという問題が生じる。そこで、従来、表示板の下に回転表示板を備え、この回転表示板上に設けられた標識を表示板に設けられた開口部から選択的に露出させることで、不要な情報を露出させない技術が用いられている（特許文献１）。
【先行技術文献】
【特許文献】
【０００４】
【特許文献１】特開平６−６６９６３号公報
【発明の概要】
【発明が解決しようとする課題】
【０００５】
しかしながら、回転表示板上に設けられる標識の数が増えると、当該回転表示板を回転させて一の標識を表示させるまでに時間を要するという課題がある。
【０００６】
この発明の目的は、ユーザに分かりやすく迅速に報知情報を切り替えて表示させることが可能な情報表示装置及びアナログ電子時計を提供することにある。
【課題を解決するための手段】
【０００７】
本発明は、上記目的を達成するため、
半透過部材又は半透過反射部材で形成された第１回転板と、
この第１回転板の上側に配置され、前記第１回転板の一部分を露出させる表示窓が設けられた表示板と、
前記第１回転板の下部に、回転自在に配置された第２回転板と、
前記第１回転板及び前記第２回転板の回転動作を制御する回転制御手段と
前記第２回転板の前記表示窓に対応する部分をこの第２回転板の下側から照明する照明体と、
この照明体の点灯／消灯状態を制御する点灯制御手段と、
を備え、
前記第１回転板には、この第１回転板の材質とは異なる材質の半透過部材又は半透過反射部材で形成された複数の情報を各々示す表示部が設けられ、
前記第２回転板には、複数の情報に各々対応した光透過部が設けられ、
前記点灯制御手段は、前記照明体を消灯させることで前記表示部の一又は複数の所定数の情報を前記表示窓から選択的に読み取り可能とし、前記照明体を点灯させることで前記光透過部を透過した光が前記第１回転板を透過することによってこの光透過部に対応した情報を前記表示窓から選択的に読み取り可能とする
ことを特徴とする情報表示装置である。
【発明の効果】
【０００８】
本発明に従うと、ユーザに分かりやすく迅速に報知情報を切り替えて表示させることができるという効果がある。
【図面の簡単な説明】
【０００９】
【図１】本発明の実施形態の情報報知システムの構成を示す図である。
【図２】アナログ電子時計の表示状態を示す正面図である。
【図３】日車と情報表示板の形状及び配置を説明する図である。
【図４】情報表示板の平面図である。
【図５】アナログ電子時計の内部構成を示すブロック図である。
【図６】日付表示状態を説明する図である。
【図７】情報表示状態を説明する図である。
【図８】アナログ電子時計における表示処理の制御手順を示すフローチャートである。
【図９】ディスク回転処理の制御手順を示すフローチャートである。
【図１０】受信処理の制御手順を示すフローチャートである。
【発明を実施するための形態】
【００１０】
以下、本発明の実施の形態を図面に基づいて説明する。
図１は、本発明の実施形態の情報表示装置としてのアナログ電子時計１０を含む情報表示システム１の構成を示す図である。
【００１１】
本実施形態の情報表示システム１は、アナログ電子時計１０と、スマートフォン４０とを含む。アナログ電子時計１０及びスマートフォン４０は、互いに近距離無線通信を行うことが可能となっている。この近距離無線通信としては、特に限られないが、Bluetooth（登録商標）が用いられる。スマートフォン４０とアナログ電子時計１０とが通信範囲内にある場合には、これらの機器間での通信接続状態を維持しておくことができる。そして、スマートフォン４０でイベント、ここでは、電子メールや電話の着信が発生すると、当該イベント発生情報がスマートフォン４０からアナログ電子時計１０に略リアルタイムで送信されて、アナログ電子時計１０は、当該イベント発生情報の報知動作を行う。
【００１２】
図２は、アナログ電子時計１０の正面図である。
【００１３】
本実施形態のアナログ電子時計１０は、通常の時刻表示状態では、図２（ａ）に示すように、側面及び底面を覆うケーシング５の内部に配置された文字盤７の上部で回動可能な時針１６及び分針１７と、文字盤７（表示板）に設けられた開口部８（表示窓）から一の標識が露出された日車１８（第１回転板）とにより時刻及び日付の表示を行う。一方、イベント発生情報の報知動作を行う際には、図２（ｂ）に示すように、情報表示板１９（第２回転板）上に設けられた標識が開口部８から視認可能とされる。また、ケーシング５の側面部には、リューズＣが設けられており、ユーザの回転操作を受け付ける。
【００１４】
図３は、アナログ電子時計１０の内部における日車１８と情報表示板１９の配置を説明する図である。図３（ａ）には、日車１８と情報表示板１９を上部から見た場合の位置関係を示す平面図を示す。図３（ｂ）には、図３（ａ）における切断線Ａ−Ａでの断面図を示す。
【００１５】
図３（ａ）に示すように、日車１８は、３６０度回転可能な円環状のディスクであり、円環の上面には、日付標識「１」〜「３１」（表示部）が順番に配列されて設けられている。文字盤７に設けられた開口部８は、日車１８が回転することで日付標識のうち何れかが選択的に露出可能な位置、及び、サイズである。日車１８のうち、少なくとも開口部８から露出され得る帯状の領域には、透明部材又は半透過部材が用いられており、そのうち更に、日付標識部分又はそれ以外の部分（背景部分）のうち少なくとも何れかには、ハーフミラー処理がなされている。或いは、透明部材又は半透過部材の日車１８の下面に半透過性反射部材（ハーフミラー）で形成された日付標識が設けられていても良い。日付標識部分及び背景部分の何れにもハーフミラー処理を行う場合には、両者の透過率や色合いが異なり、両者がミラー状態の場合に日付標識が背景部分から識別可能なように各々処理がなされる。ここでは、日付標識部分にのみハーフミラー処理がなされているものとして説明する。
ここで、半透過部材やハーフミラーは、透過率が５０％であるものに限定されず、後述するように、ＬＥＤ３３及び情報表示板１９により情報表示が行われる際にその表示内容が視認可能な範囲で、入射光の一部分が透過するものであればよい。同様に、ハーフミラーの反射率は、５０％に限られない。
【００１６】
情報表示板１９は、図３（ｂ）に示すように、日車１８の回転面よりも下側（開口部８から遠い側）に設けられた回転ディスクである。この情報表示板１９は、日車１８よりも小型のものであり、且つ、トルクが小さく構成されることで、日車１８よりも高速に回転可能となっている。この情報表示板１９は、ハウジング５１の内部において、輪列機構２２の歯車２２ａから伝達された回転により回転動作する。情報表示板１９の板面は、回転方向に４５度ずつ８つの領域に分割されている。情報表示板１９の基盤部は、透明部材で形成され、この基盤部には、後述するように、背景部１９ａと情報標識１９ｂとを識別可能とする表面処理がなされている。情報標識１９ｂは、日車１８を透過して何れか一つが開口部８から選択的に視認可能なサイズに形成されている。
【００１７】
日車１８及び情報表示板１９を挟んだ開口部８とは反対側には、ＬＥＤ３３が設けられている。このアナログ電子時計１０では、ＬＥＤ３３の点灯／非点灯を切り替えることで日車１８の上面側と下面側の明るさの差を変化させて、ハーフミラーの透過／反射状態を切り替える。詳しい動作手順については、後に詳述する。
【００１８】
図４は、情報表示板１９の平面図である。
【００１９】
情報表示板１９の８つの領域は、隣接する２つの領域が対になって同一の情報表示に用いられる。ここでは、スマートフォン４０との通信接続の確立を示す情報標識“ＬＩＮＫ”が設けられた２つの領域、スマートフォン４０への電子メールの着信を示す情報標識“ＭＡＩＬ”が設けられた２つの領域、スマートフォン４０への電話着信を示す情報標識“ＴＥＬ”が設けられた２つの領域、及び、情報を表示しない２つの領域（無表示部、無標識部分）がそれぞれ隣接して設けられている。このうち、情報標識“ＬＩＮＫ”、“ＭＡＩＬ”、“ＴＥＬ”を示すそれぞれ２つの領域は、非透過処理又は減光処理のなされた背景部１９ａ１（例えば、黒色の無反射処理）に対して、光透過性部材で形成された光透過部としての情報標識１９ｂ１が組み合わされた暗表示領域（暗表示部）と、光透過性部材で形成された光透過部としての背景部１９ａ２に対して非透過部材又は減光部材で形成された情報標識１９ｂ２が組み合わされた明表示領域（明表示部）とからなる。一方、情報を表示しない２つの領域（無標識部分）は、非透過性の黒色領域１９ａ３（低反射処理部）と白色領域１９ａ４（高反射処理部）である。
ここで、光透過性部材は、ＬＥＤ３３の出射光を透過（減光処理領域／減光部材と組み合わされた場合には、この減光処理領域／減光部材を透過する光量よりも十分大きい光量を透過）させればよく、ＬＥＤ３３自体が視認できる必要は無い。従って、光透過性部材としては、透明部材や半透過部材に限られず、半透明部材、例えば、半透明のアクリル樹脂であってもよい。或いは、光透過性部材を用いずに、情報標識に対応した単なる孔部を設けることとしても良い。
【００２０】
図５は、アナログ電子時計１０の内部構成を示すブロック図である。
【００２１】
このアナログ電子時計１０は、ＣＰＵ１１（Central Processing Unit）（回転制御手段、点灯制御手段、指針動作制御手段）と、ＲＯＭ１２（Read Only Memory）と、ＲＡＭ１３（Random Access Memory）と、操作部１４と、計時回路１５と、時針１６及び分針１７（複数の指針）と、日車１８と、情報表示板１９と、輪列機構２０〜２２と、ステップモータ２３〜２５と、ステップモータ駆動回路２６と、Bluetoothモジュール２７と、アンテナＡＮと、ＵＡＲＴ２８（Universal Asynchronous Receiver Transmitter）と、振動モータ２９及びそのドライバ３０と、ピエゾ素子３１及びそのドライバ３２と、ＬＥＤ３３（Light Emitting Diode）（照明体）及びそのドライバ３４と、照度計測手段としての照度センサ３５と、比較部３６と、バス３７などを備えている。
【００２２】
ＣＰＵ１１は、アナログ電子時計１０の全体動作の統轄制御及び各種演算処理を行う。ＣＰＵ１１は、計時回路１５の計数する現在時刻に基づいてステップモータ駆動回路２６に制御信号を送り、ステップモータ２３を駆動させて時針１６及び分針１７により時刻表示を行わせ、また、ステップモータ２４を駆動させて日車１８により日付の表示を行わせる。ＣＰＵ１１は、Bluetoothモジュール２７を介してスマートフォン４０から取得された当該スマートフォン４０への着信情報に基づいて表示内容を決定し、この表示内容に従ってステップモータ駆動回路２６にステップモータ２５を駆動させ、情報表示板１９を回転させるとともに、必要に応じてドライバ３４にＬＥＤ３３を点灯動作させることで当該情報をそれぞれ表示させる。
【００２３】
ＲＯＭ１２は、ＣＰＵ１１が実行する種々のプログラムや初期設定データを格納する。このＲＯＭ１２が格納するプログラムには、スマートフォン４０とBluetooth通信を行うための通信制御プログラムが含まれる。
【００２４】
ＲＡＭ１３は、ＣＰＵ１１に作業用のメモリ空間を提供し、一時データを記憶する。また、ＲＡＭ１３には、電子メール着信情報及び電話着信情報の報知状態を示す情報表示フラグ１３ａが記憶される。
【００２５】
操作部１４は、リューズＣを備え、外部からこのリューズＣに対してなされた引き出し操作、押し込み操作、及び、回転操作を電気信号に変換して、入力信号としてＣＰＵ１１に出力する。この他、操作部１４は、押しボタンスイッチなど、入力操作を受け付ける他の構成要素を備えるものであっても良い。
【００２６】
計時回路１５は、入力される所定周波数のクロック信号に基づき現在時刻を計数して保持するカウンタである。この現在時刻が読み出され、時針１６及び分針１７によって表示されたり、当該現在時刻データと各種機能に係る設定時刻データとが比較されて種々の動作が行われたりする。
【００２７】
ステップモータ駆動回路２６は、ＣＰＵ１１からステップモータ２３〜２５の駆動命令を含む制御信号を受け取ってステップモータ２３〜２５を各々独立に駆動する駆動パルスを出力する。
ステップモータ２３〜２５は、各々ステップモータ駆動回路２６から入力された駆動パルスによりステップ駆動されて、駆動パルスの電圧波形に基づいて正転方向又は逆転方向に所定角度（例えば、１８０度）回転する。
【００２８】
輪列機構２０〜２２は、それぞれ複数の歯車列により構成される。輪列機構２０は、ステップモータ２３の回転角度を歯車比で調整して、ステップモータ２３の１ステップ動作当たり所定角度（ここでは、１度）の回転を分針１７に与える。時針１６は、分針１７に連動して回転する。輪列機構２１は、ステップモータ２４の回転角度を歯車比で調整して所定角度の回転を日車１８に与える。輪列機構２２は、ステップモータ２５の回転角度を歯車比で調整して所定角度の回転を情報表示板１９に与える。
【００２９】
Bluetoothモジュール２７は、アンテナＡＮを介して外部機器（スマートフォン４０）との間でBluetooth通信を行うための制御モジュールである。ＣＰＵ１１から送られた送信データは、ＵＡＲＴ２８でシリアル／パラレル変換などの処理が行われて、Bluetoothモジュール２７からスマートフォン４０などの外部機器に送信される。また、アンテナＡＮ及びBluetoothモジュール２７による外部機器からの受信データは、ＵＡＲＴ２８でシリアル／パラレル変換などの処理が行われて、ＣＰＵ１１へ出力される。アナログ電子時計１０がスマートフォン４０から受信する受信データの内容は、制御データの他、予め設定されたものである。この受信データには、スマートフォン４０への所定の情報着信を示す着信信号と、当該所定の情報着信の内容を確認済みであることを示す確認信号とが含まれる。本実施形態のアナログ電子時計１０では、スマートフォン４０への電話及び電子メールの着信信号及び確認信号が受信される設定となっている。この場合の電話確認信号は、スマートフォン４０から送信された電話着信信号に係る全ての電話着信への応答又は発信電話番号の確認がなされたことを示す。また、電子メール確認信号は、スマートフォン４０から送信された電子メール着信信号に係る全ての電子メールの内容閲覧又は送信先アドレスの確認がなされたことを示す。
【００３０】
振動モータ２９、ピエゾ素子（ＰＺＴ）３１、及び、ＬＥＤ３３は、それぞれ振動、ブザー音、及び、光を発することでユーザに通知を行うためのものである。ＣＰＵ１１からドライバ３０、３２、３４にそれぞれ制御信号が送られると、ドライバ３０、３２、３４は、それぞれ、振動モータ２９、ピエゾ素子３１、ＬＥＤ３３を動作させるのに必要な電圧信号に変換して出力する。これらの動作は、アナログ電子時計１０におけるアラーム時刻報知動作に用いられる。また、ＬＥＤ３３は、上記着信信号の受信報知の際に、情報表示板１９の情報標識の表示が日車１８のハーフミラーを透過してユーザに視認されるように点灯制御がなされる。なお、ＬＥＤ３３は、後述する情報表示板１９の下部に設けられたものだけではなく、文字盤７を上面側から照射するためのものを別個に備えていても良い。
【００３１】
照度センサ３５は、アナログ電子時計１０の所定部分、例えば、文字盤７の外光による照度を計測するセンサである。この照度センサは、例えば、照度に応じた電圧値を出力し、比較部３６において所定の閾値電圧との大小が比較されて、基準照度以上の入射があるか否かを示す二値電圧信号が比較部３６からバス３７に出力される。この照度センサ３５は、図示略の電源部がソーラ発電機能を備える場合には、発電による起電力の電圧出力を利用することができる。
【００３２】
バス３７には、上述の各構成部分が接続されて、ＣＰＵ１１と各部との間で行われるデータ信号のやりとりに用いられる。
【００３３】
次に、本実施形態のアナログ電子時計１０における日車１８及び情報表示板１９の標識を用いた情報表示動作について説明する。
【００３４】
図６は、日付表示状態について説明する図である。
日付を表示する場合には、日車１８の当該日付（ここでは、１７日）に当たる日付標識が開口部８から露出されると共に、図６（ａ）、（ｂ）に示すように、情報表示板１９における無標識部分の領域の何れかが開口部の位置に来るように情報表示板１９が回転動作される。このとき、上面側から入射する外光の方が半透過部材を透過して黒色領域又は白色領域で反射される光より多いことになり、日付標識部分がミラー態様となって、非透過性の無標識部分に対して視認可能となる。このアナログ電子時計１０では、通常では、図６（ａ）に示すように、無標識部分のうち白色処理がなされた領域を露出させる。一方、外光の入射量が多い場合には、日付標識による外光の反射量も多くなって明るく見えることから、図６（ｂ）に示すように、無標識部分のうち無反射処理がなされた黒色領域を露出させることでコントラストを増大させ、ユーザの視認性を高めることができる。
【００３５】
図７は、情報表示状態について説明する図である。
情報表示を行う場合には、日車１８の表示状態を変化させずに、図７（ａ）、（ｂ）に示すように、情報表示板１９における表示内容に対応する２つの領域を所定の時間間隔、例えば、０．５秒ごとに交互に切り替えて露出させる。また、このとき、ＬＥＤ３３が点灯される。図７（ａ）に示すように、ＬＥＤ３３の出射光は、情報表示板１９の背景部１９ａ１を主に透過して情報標識１９ｂ１とのコントラストにより表示内容を視認可能とする。そして、この表示内容は、日車１８を透過して開口部８から露出される。このとき、ＬＥＤ３３の発光により日車１８の下面側が明るくなることから、ＬＥＤ３３の出射光は、日付標識部分も透過して表示内容が容易に視認可能となる。
【００３６】
図７（ｂ）に示すように、背景部１９ａ２と情報標識１９ｂ２との組み合わせ領域が露出される場合にでも、同様に、ＬＥＤ３３の出射光が情報標識１９ｂ２を主に透過して背景部１９ａ２とのコントラストにより表示内容が視認可能となる。そして、この表示内容は、日付標識部分を含む日車１８を透過して開口部８から露出される。
【００３７】
図８は、本実施形態のアナログ電子時計１０において定期的に実行される表示処理のＣＰＵ１１による制御手順を示すフローチャートである。
【００３８】
この表示処理は、クロック信号に同期して０．５秒ごとに定期的に呼び出されて実行される。表示処理が起動されると、ＣＰＵ１１は、先ず、後述するディスク回転処理を行う（ステップＳ１０１）。
【００３９】
次いで、ＣＰＵ１１は、計時処理を行う（ステップＳ１０２）。それから、ＣＰＵ１１は、クロック信号に基づき現在時刻を計数する計時回路１５から現在時刻データを取得する。ＣＰＵ１１は、現在時刻が「＊０秒」、即ち、秒値の一桁目の値が「０」であるか否かを判別する（ステップＳ１０３）。秒値の一桁目の値が「０」であると判別された場合には（ステップＳ１０３で“ＹＥＳ”）、ＣＰＵ１１は、ステップモータ駆動回路２６に制御信号を送り、ステップモータ２３を動作させて時針１６及び分針１７を回転移動させる（ステップＳ１０４）。それから、ＣＰＵ１１の処理は、ステップＳ１０５に移行する。秒値の一桁目の値が「０」ではないと判別された場合には（ステップＳ１０３で“ＮＯ”）、ＣＰＵ１１の処理は、そのままステップＳ１０５に移行する。
【００４０】
ステップＳ１０５の処理に移行すると、ＣＰＵ１１は、日付変更のタイミングであるか否かを判別する。日付変更のタイミングであると判別された場合には（ステップＳ１０５で“ＹＥＳ”）、ＣＰＵ１１は、ステップモータ駆動回路２６に制御信号を送り、ステップモータ２４を動作させて日車１８を回転移動させ、翌日の日付を表示させる（ステップＳ１０６）。それから、ＣＰＵ１１の処理は、ステップＳ１０７に移行する。日付変更のタイミングではないと判別された場合には（ステップＳ１０５で“ＮＯ”）、ＣＰＵ１１の処理は、そのままステップＳ１０７に移行する。
【００４１】
ＣＰＵ１１の処理がステップＳ１０７に移行すると、ＣＰＵ１１は、スマートフォン４０との間でBluetooth通信のリンクが確立されているか否かを判別する。通信リンクが確立されていると判別された場合には（ステップＳ１０７で“ＹＥＳ”）、ＣＰＵ１１は、後述する受信処理を行い（ステップＳ１０８）、それから、表示処理を終了する。通信リンクが確立されていないと判別された場合には（ステップＳ１０７で“ＮＯ”）、ＣＰＵ１１は、そのまま表示処理を終了する。
【００４２】
図９は、表示処理で呼び出されたディスク回転処理の制御手順を示すフローチャートである。
【００４３】
ディスク回転処理が呼び出されると、ＣＰＵ１１は、現在、日付の表示を行っているか否かを判別する（ステップＳ１１１）。日付の表示を行っていると判別された場合には（ステップＳ１１１で“ＹＥＳ”）、次に、ＣＰＵ１１は、照度センサ３５の計測値に係る比較部３６の出力を取得する（ステップＳ１１２）。そして、ＣＰＵ１１は、照度センサ３５の計測する照度が基準照度以上の高照度状態であるか否かを判別する（ステップＳ１１３）。高照度状態であると判別された場合には（ステップＳ１１３で“ＹＥＳ”）、ＣＰＵ１１は、現在、情報表示板１９の無標識部分のうち、白色領域が露出されているか否かを判別する（ステップＳ１１４）。白色領域が露出されていると判別された場合には（ステップＳ１１４で“ＹＥＳ”）、ＣＰＵ１１は、ステップモータ駆動回路２６に制御信号を出力して情報表示板１９を回転させ、黒色領域を表示させる（ステップＳ１１５）。そして、ＣＰＵ１１は、ディスク回転処理を終了して処理を表示処理に戻す。白色領域が露出されていないと判別された場合には（ステップＳ１１４で“ＮＯ”）、ＣＰＵ１１は、そのままディスク回転処理を終了して、処理を表示処理に戻す。
【００４４】
ステップＳ１１３の判別処理で、高照度状態ではないと判別された場合には（ステップＳ１１３で“ＮＯ”）、ＣＰＵ１１は、現在、情報表示板１９の無標識部分のうち、黒色領域が露出されているか否かを判別する（ステップＳ１１６）。黒色領域が露出されていると判別された場合には（ステップＳ１１６で“ＹＥＳ”）、ＣＰＵ１１は、ステップモータ駆動回路２６に制御信号を出力し、情報表示板１９を回転させて白色領域を露出させる（ステップＳ１１７）。そして、ＣＰＵ１１は、ディスク回転処理を終了し、処理を表示処理に戻す。黒色領域が露出されていないと判別された場合には（ステップＳ１１６で“ＮＯ”）、ＣＰＵ１１は、そのままディスク回転処理を終了し、処理を表示処理に戻す。
【００４５】
次に、ステップＳ１１１の判別処理で、日付表示中ではないと判別された場合には（ステップＳ１１１で“ＮＯ”）、ＣＰＵ１１は、続いて、情報標識“ＭＡＩＬ”の表示中であるか否かを判別する（ステップＳ１２１）。情報標識“ＭＡＩＬ”の表示中であると判別された場合には（ステップＳ１２１で“ＹＥＳ”）、ＣＰＵ１１は、情報標識“ＭＡＩＬ”の表示領域のうち、明表示領域が露出されているか否かを判別する（ステップＳ１２２）。明表示領域が露出されていると判別された場合には（ステップＳ１２２で“ＹＥＳ”）、ＣＰＵ１１は、ステップモータ駆動回路２６に制御信号を出力して情報表示板１９を回転させ、情報標識“ＭＡＩＬ”に係る暗表示領域を露出させてから（ステップＳ１２３）、ディスク回転処理を終了する。明表示領域が露出されているのではない、即ち、暗表示領域が露出されていると判別された場合には（ステップＳ１２２で“ＮＯ”）、ＣＰＵ１１は、ステップモータ駆動回路２６に制御信号を出力して情報表示板を回転させ、情報標識“ＭＡＩＬ”に係る明表示領域を露出させてから（ステップＳ１２４）、ディスク回転処理を終了する。
【００４６】
次に、ステップＳ１２１の判別処理で、情報標識“ＭＡＩＬ”の表示中ではないと判別された場合には（ステップＳ１２１で“ＮＯ”）、ＣＰＵ１１は、続いて、情報標識“ＴＥＬ”の表示中であるか否かを判別する（ステップＳ１３１）。情報標識“ＴＥＬ”の表示中であると判別された場合には（ステップＳ１３１で“ＹＥＳ”）、ＣＰＵ１１は、情報標識“ＴＥＬ”の表示領域のうち、明表示領域が露出されているか否かを判別する（ステップＳ１３２）。明表示領域が露出されていると判別された場合には（ステップＳ１３２で“ＹＥＳ”）、ＣＰＵ１１は、ステップモータ駆動回路２６に制御信号を出力して情報表示板１９を回転させ、情報標識“ＴＥＬ”に係る暗表示領域を露出させてから（ステップＳ１３３）、ディスク回転処理を終了する。明表示領域が露出されているのではない、即ち、暗表示領域が露出されていると判別された場合には（ステップＳ１３２で“ＮＯ”）、ＣＰＵ１１は、ステップモータ駆動回路２６に制御信号を出力して情報表示板を回転させ、情報標識“ＴＥＬ”に係る明表示領域を露出させてから（ステップＳ１３４）、ディスク回転処理を終了する。
【００４７】
次に、ステップＳ１３１の判別処理で、情報標識“ＴＥＬ”の表示中ではないと判別された場合には（ステップＳ１３１で“ＮＯ”）、情報標識“ＬＩＮＫ”の表示中であるということになる。ＣＰＵ１１は、情報標識“ＬＩＮＫ”の表示領域のうち、明表示領域が露出されているか否かを判別する（ステップＳ１４２）。明表示領域が露出されていると判別された場合には（ステップＳ１４２で“ＹＥＳ”）、ＣＰＵ１１は、ステップモータ駆動回路２６に制御信号を出力して情報表示板１９を回転させ、情報標識“ＬＩＮＫ”に係る暗表示領域を露出させてから（ステップＳ１４３）、ディスク回転処理を終了する。明表示領域が露出されているのではない、即ち、暗表示領域が露出されていると判別された場合には（ステップＳ１４２で“ＮＯ”）、ＣＰＵ１１は、ステップモータ駆動回路２６に制御信号を出力して情報表示板を回転させ、情報標識“ＬＩＮＫ”に係る明表示領域を露出させてから（ステップＳ１４４）、ディスク回転処理を終了する。
【００４８】
図１０は、表示処理で呼び出された受信処理の制御手順を示すフローチャートである。
【００４９】
受信処理が呼び出されると、ＣＰＵ１１は、データが受信されたか否かを判別する（ステップＳ２０１）。データが受信されていないと判別された場合には（ステップＳ２０１で“ＮＯ”）、ＣＰＵ１１はそのまま受信処理を終了して表示処理に戻る。
【００５０】
データが受信されたと判別された場合には（ステップＳ２０１で“ＹＥＳ”）、次に、ＣＰＵ１１は、受信データがスマートフォン４０への着信信号であるか否かを判別する（ステップＳ２０２）。着信信号であると判別された場合には（ステップＳ２０２で“ＹＥＳ”）、ＣＰＵ１１は、更に、この着信信号が電話着信信号であるか否かを判別する（ステップＳ２１１）。
【００５１】
着信信号が電話着信信号であると判別された場合には（ステップＳ２１１で“ＹＥＳ”）、ＣＰＵ１１は、先ず、情報表示フラグ１３ａのうちフラグＦＴを「１」に設定する（ステップＳ２１２）。次いで、ＣＰＵ１１は、ＬＥＤ３３が点灯中であるか否かを判別し（ステップＳ２１３）、ＬＥＤ３３が点灯中ではないと判別された場合には（ステップＳ２１３で“ＮＯ”）、ドライバ３４に制御信号を出力してＬＥＤ３３を点灯させ（ステップＳ２１４）、その後、処理をステップＳ２１５に移行させる。ＬＥＤ３３が点灯中であると判別された場合には（ステップＳ２１３で“ＹＥＳ”）、ＣＰＵ１１の処理は、そのままステップＳ２１５に移行する。ステップＳ２１５の処理において、ＣＰＵ１１は、ステップモータ駆動回路２６に制御信号を出力して、情報表示板１９の標識「ＴＥＬ」が開口部８から表出されるように情報表示板１９を回転移動させる。そして、ＣＰＵ１１は、受信処理を終了して、ＣＰＵ１１の処理は、表示処理に戻る。
【００５２】
一方、ステップＳ２１１の判別処理で、受信された着信処理が電話着信信号ではないと判別された場合には（ステップＳ２１１で“ＮＯ”）、電子メールの着信信号であるということになる。ＣＰＵ１１は、情報表示フラグ１３ａのうちフラグＦＭを「１」に設定する（ステップＳ２２２）。次いで、ＣＰＵ１１は、ＬＥＤ３３が点灯中であるか否かを判別する（ステップＳ２２３）。ＬＥＤ３３が点灯中ではないと判別された場合には（ステップＳ２２３で“ＮＯ”）、ＣＰＵ１１は、ドライバ３４に制御信号を出力してＬＥＤ３３を点灯させ（ステップＳ２２４）、その後、処理をステップＳ２２５に移行させる。ＬＥＤ３３が点灯中であると判別された場合には（ステップＳ２２３で“ＹＥＳ”）、ＣＰＵ１１の処理は、そのままステップＳ２２５に移行する。ステップＳ２２５の処理において、ＣＰＵ１１は、ステップモータ駆動回路２６に制御信号を出力して、情報表示板１９の標識「ＭＡＩＬ」が開口部８から表出されるように情報表示板１９を回転移動させる。そして、ＣＰＵ１１は、受信処理を終了して、ＣＰＵ１１の処理は、表示処理に戻る。
【００５３】
次に、ステップＳ２０２の判別処理で、受信データが着信信号ではないと判別された場合には（ステップＳ２０２で“ＮＯ”）、ＣＰＵ１１は、続いて、受信データが着信の確認信号であるか否かを判別する（ステップＳ２０３）。確認信号であると判別された場合には（ステップＳ２０３で“ＹＥＳ”）、ＣＰＵ１１は、更に、この確認信号が電話確認信号であるか否かを判別する（ステップＳ２３１）。電話確認信号であると判別された場合には（ステップＳ２３１で“ＹＥＳ”）、ＣＰＵ１１は、フラグＦＴを「０」に設定する（ステップＳ２３２）。次いで、ＣＰＵ１１は、フラグＦＭが「１」であるか否かを判別する（ステップＳ２３３）。フラグＦＭが「１」であると判別された場合には（ステップＳ２３３で“ＹＥＳ”）、ＣＰＵ１１は、ステップモータ駆動回路２６に制御信号を出力し、ステップモータ２５を動作させて情報表示板１９の標識「ＭＡＩＬ」を開口部８から表出させる（ステップＳ２３４）。そして、ＣＰＵ１１は、受信処理を終了し、処理を表示処理に戻す。
【００５４】
ステップＳ２３３の判別処理でフラグＦＭが「１」ではないと判別された場合には（ステップＳ２３３で“ＮＯ”）、ＣＰＵ１１は、ドライバ３４に制御信号を出力してＬＥＤ３３を消灯させる（ステップＳ２５３）。また、ＣＰＵ１１は、ステップモータ駆動回路２６に制御信号を出力し、ステップモータ２３を動作させて情報表示板１９の無標識部分を開口部８の位置に一致させ、日車１８の日付標識を開口部８から視認可能とさせる（ステップＳ２５４）。そして、ＣＰＵ１１は、受信処理を終了して処理を表示処理に戻す。
【００５５】
ステップＳ２３１の判別処理で、確認信号が電話確認信号ではないと判別された場合には（ステップＳ２３１で“ＮＯ”）、確認信号は、電子メール確認信号であるということになるので、ＣＰＵ１１は、フラグＦＭを「０」に設定する（ステップＳ２４２）。次いで、ＣＰＵ１１は、フラグＦＴが「１」であるか否かを判別する（ステップＳ２４３）。フラグＦＴが「１」ではないと判別された場合には（ステップＳ２４３で“ＮＯ”）、ＣＰＵ１１の処理は、ステップＳ２５３に移行する。一方、フラグＦＴが「１」であると判別された場合には（ステップＳ２４３で“ＹＥＳ”）、ＣＰＵ１１は、ステップモータ駆動回路２６に制御信号を出力し、ステップモータ２５を動作させて情報表示板１９の標識「ＴＥＬ」が開口部８から視認可能とされるように情報表示板１９を回転移動させる（ステップＳ２４４）。それから、ＣＰＵ１１は、受信処理を終了して処理を表示処理に戻す。
【００５６】
ステップＳ２０３の判別処理で、受信データが確認信号ではないと判別された場合には、ＣＰＵ１１は、その他の処理を行い（ステップＳ２０４）、受信処理を終了して処理を表示処理に戻す。
【００５７】
なお、情報標識“ＴＥＬ”、“ＭＡＩＬ”の表示に関しては、上述のように、０．５秒ごとに明表示領域と暗表示領域とが交互に切り替えられるので、何れの領域が先に表示されてもよく、予め適宜設定されている。日付表示に関しては、ステップＳ２５４の処理として上述のステップＳ１１２〜Ｓ１１７の処理を行うこととしてもよいし、情報標識と同様に、無標識部分のうち予め設定された何れかの表示領域を表示させるだけであっても良い。
【００５８】
情報標識“ＬＩＮＫ”の表示への切り替えは、表示処理とは独立に、操作部１４への入力操作に係る通信接続命令や、定期的に行われる通信接続先のスマートフォン４０の探索処理に基づいてスマートフォン４０との通信接続が確立された場合に、自動的に引き続いて実行され、所定時間後に終了するようになっている。通信接続については、従来周知の手順で実行されればよく、ここでは、詳細な説明を省略する。
【００５９】
以上のように、本実施形態のアナログ電子時計１０は、半透過部材又はハーフミラーで形成された日車１８と、日車１８の一部を開口部８から露出させる文字盤７と、日車１８の下部に設けられた情報表示板１９と、情報表示板１９のうち、開口部８に対応する部分を下側から照明するＬＥＤ３３とこれらの制御処理を実行するＣＰＵ１１とを備える。日車１８には、日車１８の材質とは異なる半透過部材又はハーフミラーを用いて日付標識が設けられている。一方、情報表示板１９には、スマートフォン４０から受信され得る情報に係る情報標識にそれぞれ対応した光透過部が設けられている。そして、ＬＥＤ３３の非点灯時には、日車１８の日付標識が視認可能となっている一方、ＬＥＤ３３の点灯時には、情報表示板１９の情報標識に対応した光が日車１８及び開口部８を透過して出射されて視認可能となる。従って、一つの開口部８を用いて２種類の情報が表示可能であり、且つ、不要な情報を露出させないので、ユーザが必要な情報を知得しやすくなる。
【００６０】
また、不要な情報を表示し続けるためのスペースが不要なので、デザイン上すっきりと構成させることが出来る。
【００６１】
また、日付標識に係る日車１８と、情報標識に係る情報表示板１９が別個に駆動され、且つ、情報表示板１９を高速で回転しやすい構成となっているので、速やかに報知すべき情報を大きなタイムラグ無くユーザに報知することが出来る。
【００６２】
また、情報表示板１９には、無表示領域が設けられており、日車１８の日付標識を表示させる際に、当該日付標識の背景に情報標識を重ねないように表示制御を行うので、日車１８が半透過部材であって、ＬＥＤ３３が消灯状態であっても情報表示板１９が多少なりとも視認し得る場合には特に、日付標識を見易く制御することが出来る。
【００６３】
また、無表示領域には、反射率の低い黒色領域１９ａ３と反射率の高い白色領域１９ａ４とがあり、照度センサ３５の計測した照度に基づき、日付標識に対してコントラストの良い方の領域、即ち、高照度時には黒色領域１９ａ３が、低照度時には白色領域１９ａ４が選択的に開口部８の位置に来るように回転制御されるので、日付標識をより見易く制御することが出来る。
【００６４】
また、また情報表示板１９の情報表示領域には、各々の表示内容に対し、情報標識の部分の光を透過させることで情報を表示させる明表示領域と、背景部分の光を透過させることで情報を表示させる暗表示領域との２つの領域が設けられ、ＬＥＤ３３の点灯時には、これらの明表示領域と暗表示領域とを交互に露出させるので、ユーザに情報表示を行っていることをより容易に知得させることが出来る。
【００６５】
また、このような情報表示に係る構成をアナログ電子時計１０に適用することにより、デザイン上の制約を減らし、且つ、時刻情報の表示への悪影響を低減させながら、ユーザがより種々の情報を取得しやすくすることが出来る。
【００６６】
なお、本発明は、上記実施の形態に限られるものではなく、様々な変更が可能である。
例えば、上記実施の形態では、日付１日分のみが露出される開口部８が設けられている例について説明したが、これに限られない。例えば、開口部８は、連続する３日分が露出可能であっても良い。
【００６７】
また、上記実施の形態では、日付を表示する日車１８と、スマートフォン４０から取得された情報表示に係る情報表示板１９との組み合わせについて説明したが、他の情報の表示に用いることが可能である。
【００６８】
また、上記実施の形態では、情報表示板１９を透明部材上に情報標識に係る処理を行ったものとして説明したが、情報表示板１９の部材に直接孔部を設けたり、更に、この孔部に半透明部材などを埋め込んだりして光透過部を形成したものであっても良い。また、情報表示板１９の高反射処理部を白色、低反射処理部を黒色としたが、これに限られない。高照度時と低照度時にそれぞれ日付標識とのコントラストが維持される範囲で適宜変更可能である。
【００６９】
また、上記実施の形態では、情報表示板１９の下側に設けられたＬＥＤ３３から開口部８に向けて光が直接出射される例を示したが、他の部位に設けられたＬＥＤ３３の光を情報表示板１９下部の開口部８に対応する位置で反射させて開口部８から出射させる構成であっても良い。
【００７０】
また、上記実施の形態では、情報表示板１９に無標識部分が設けられたものについて説明したが、日車１８の日付標識部分及び背景部分が何れもハーフミラーである場合や、半透過部材の透過率が低く、ＬＥＤ３３が消灯状態では情報表示板１９の表示内容を読み取るのが困難な場合には、無標識部分を設けないこととしても良い。また、無標識部分を設ける場合であっても、白色領域（高反射処理部）と黒色領域（低反射処理部）の何れかのみを備えることとしても良い。
【００７１】
また、上記実施の形態では、０．５秒ごとに情報表示板１９を回転させて明表示領域と暗表示領域を交互に表示させることとしたが、この動作は、必ずしも行われなくても良い。また、明表示領域と暗表示領域との切り替えの代わりに、例えば、異なる色を透過させる半透明領域を備えた２つの明表示領域又は暗表示領域を備え、周期的に情報標識の表示色を切り替えさせることなどにより、ユーザに分かりやすく報知を行わせることも可能である。
【００７２】
また、上記実施の形態では、ＬＥＤ３３が点灯された後、情報が確認されるまでＬＥＤ３３が消灯されないが、予め設定された時間が経過した後に、ＬＥＤ３３を消灯しても良い。或いは、ＬＥＤ３３を所定の時間間隔で断続的に点灯させることとしても良い。
【００７３】
また、上記実施の形態では、スマートフォン４０との間でのBluetooth通信により、スマートフォン４０への着信情報などを表示させるアナログ電子時計１０について説明したが、通信対象機器は、ＰＤＡ（Personal Digital Assistant）や携帯電話などの他の機器であっても良い。また、通信対象となる情報としては、ナビゲーション情報、天気予報、血圧や脈拍の変化など、種々のものを挙げることができる。また、本発明に係る情報表示装置は、アナログ電子時計に限られない。懐中時計であってもよいし、他の腕装着型端末、例えば、電子歩数計や血圧計などであっても良い。
その他、上記実施の形態で示した具体的な数値、構成の配置、制御の順番などは、本発明の趣旨を逸脱しない範囲において適宜変更可能である。
【００７４】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００７５】
［付記］
＜請求項１＞
半透過部材又は半透過反射部材で形成された第１回転板と、
この第１回転板の上側に配置され、前記第１回転板の一部分を露出させる表示窓が設けられた表示板と、
前記第１回転板の下部に、回転自在に配置された第２回転板と、
前記第１回転板及び前記第２回転板の回転動作を制御する回転制御手段と
前記第２回転板の前記表示窓に対応する部分をこの第２回転板の下側から照明する照明体と、
この照明体の点灯／消灯状態を制御する点灯制御手段と、
を備え、
前記第１回転板には、この第１回転板の材質とは異なる材質の半透過部材又は半透過反射部材で形成された複数の情報を各々示す表示部が設けられ、
前記第２回転板には、複数の情報に各々対応した光透過部が設けられ、
前記点灯制御手段は、前記照明体を消灯させることで前記表示部の一又は複数の所定数の情報を前記表示窓から選択的に読み取り可能とし、前記照明体を点灯させることで前記光透過部を透過した光が前記第１回転板を透過することによってこの光透過部に対応した情報を前記表示窓から選択的に読み取り可能とする
ことを特徴とする情報表示装置。
＜請求項２＞
前記第２回転板には、前記複数の情報に対応した前記光透過部が設けられていない無表示部が設けられ、
前記回転制御手段は、前記点灯制御手段が前記照明体を消灯させる場合には、前記無表示部を前記表示窓に対応した位置に移動させる
ことを特徴とする請求項１記載の情報表示装置。
＜請求項３＞
外光の照射量を検出する照度計測手段を備え、
前記無表示部には、光の反射の少ない低反射処理部と、この低反射処理部より光の反射率の高い高反射処理部とが設けられ、
前記回転制御手段は、前記照度計測手段により検出された前記照射量、及び、前記無表示部と前記表示部の示す情報とのコントラストに応じて前記低反射処理部と前記高反射処理部の何れかを選択的に前記表示窓に対応した位置に移動させる
ことを特徴とする請求項２記載の情報表示装置。
＜請求項４＞
前記第２回転板には、前記光透過部とは異なる透過率特性の半透過部材、又は、非透過部材で形成された背景部分に対し、情報表示部分が前記光透過部として設けられた明表示部と、前記半透過部材又は非透過部材で形成された情報表示部分に対し、背景部分が光透過部として設けられた暗表示部とがそれぞれ設けられ、
前記回転制御手段は、前記点灯制御手段により前記照明体が点灯されている場合に、前記明表示部と前記暗表示部とを交互に前記表示窓に対応した位置に移動させる
ことを特徴とする請求項１〜３の何れか一項に記載の情報表示装置。
＜請求項５＞
請求項１〜４の何れか一項に記載の情報表示装置と、
時刻を表示するための複数の指針と、
時刻を計数する計時回路と、
この計時回路の計数する現在時刻に基づいて前記複数の指針をこの現在時刻に対応する位置に移動させる指針動作制御手段と
を備えることを特徴とするアナログ電子時計。
【符号の説明】
【００７６】
１     情報表示システム
５     ケーシング
７     文字盤
８     開口部
１０   アナログ電子時計
１１   ＣＰＵ
１２   ＲＯＭ
１３   ＲＡＭ
１３ａ 情報表示フラグ
１４   操作部
１５   計時回路
１６   時針
１７   分針
１８   日車
１９   情報表示板
１９ａ 背景部
１９ａ１      背景部
１９ａ２      背景部
１９ａ３      黒色領域
１９ａ４      白色領域
１９ｂ 情報標識
１９ｂ１      情報標識
１９ｂ２      情報標識
２０   輪列機構
２１   輪列機構
２２   輪列機構
２２ａ 歯車
２３   ステップモータ
２４   ステップモータ
２５   ステップモータ
２６   ステップモータ駆動回路
２７   Bluetoothモジュール
２８   ＵＡＲＴ
２９   振動モータ
３０   ドライバ
３１   ピエゾ素子
３２   ドライバ
３３   ＬＥＤ
３４   ドライバ
３５   照度センサ
３６   比較部
３７   バス
４０   スマートフォン
５１   ハウジング
ＡＮ   アンテナ
Ｃ     リューズ
【図１】
2014055873.tif 000003
【図２】
2014055873.tif 000004
【図４】
2014055873.tif 000005
【図５】
2014055873.tif 000006
【図８】
2014055873.tif 000007
【図９】
2014055873.tif 000008
【図１０】
2014055873.tif 000009
【図３】
2014055873.tif 000010
【図６】
2014055873.tif 000011
【図７】
2014055873.tif 000012